(57)【要約】【課題】薬剤シートの剣山状の突起を有する電極板を焼却処分によって安全に廃棄できるようにすることである。【解決手段】剣山状の突起４を設けた電極板２を、導電性物質としてのカーボンブラックを熱可塑性樹脂に混合した導電性樹脂で形成することにより、剣山状の突起４を有する電極板２を焼却処分によって安全に廃棄できるようにした。【選択図】図１
2011224153.tif 000002
【特許請求の範囲】
【請求項１】
薬剤が含浸または塗布された薬用布の薬剤面に、互いに絶縁した正負の電極板を設け、皮膚に当接される少なくとも一方の電極板の皮膚当接面に微細な剣山状の突起を設けた薬剤シートにおいて、前記剣山状の突起を設けた電極板を導電性樹脂で形成したことを特徴とする薬剤シート。
【請求項２】
前記導電性樹脂を、熱可塑性樹脂に導電性物質を混合したものとした請求項１に記載の薬剤シート。
【請求項３】
前記導電性物質をカーボンブラックとした請求項２に記載の薬剤シート。
【請求項４】
前記導電性樹脂で形成した電極板の剣山状の突起をインジェクションモールド法で形成した請求項２または３に記載の薬剤シート。
【請求項５】
前記剣山状の突起の高さを５０〜６００μｍとした請求項１乃至４のいずれかに記載の薬剤シート。
【請求項６】
前記正負の電極板の一方を前記剣山状の突起を設けた導電性樹脂で形成し、他方の電極板を、前記導電性樹脂で形成した一方の電極板と標準電極電位差を有する金属で形成するか、もしくは前記金属のめっきを施したもの、または前記一方の電極板と標準電極電位差を有する導電性物質を混合した導電性樹脂で形成したものとした請求項１乃至５のいずれかに記載の薬剤シート。
【請求項７】
前記正負の電極板に重なり代部を設け、この重なり代部で前記正負の電極板の間に電解液を介在させた請求項６に記載の薬剤シート。
【請求項８】
前記正負の電極板間に外部電源から電圧を付与するようにした請求項１乃至５のいずれかに記載の薬剤シート。
【請求項９】
前記正負の電極板の両方を導電性樹脂で形成した請求項８に記載の薬剤シート。
【発明の詳細な説明】
【技術分野】
【０００１】
本発明は、皮膚に貼付される薬剤面に電解質や非電解質の薬剤成分を含む薬剤が含浸または塗布された湿式の薬剤シートに関する。
【背景技術】
【０００２】
皮膚に貼付される薬剤面に薬剤を含浸または塗布し、その薬剤成分を皮膚から体内に吸収させる湿式の薬剤シートは、簡便な治療手段として神経痛や肩こり等の治療に幅広く使用されている。しかしながら、従来の薬剤シートは、薬剤成分の高々２０〜３０％程度しか皮膚から吸収されず、薬剤成分の吸収効率が低いことが知られている。
【０００３】
本発明者の一人は、皮膚を経由して流れる電流による薬剤成分のイオン浸透効果を利用した電気治療器として、まず、扁平な小型電池の一方の面の電極の外表面と電池の周側面を所要の間隙を介して外包材で覆い、他方の電極を一方の電極と絶縁材で絶縁して、前記間隙に電導性を付加した流動性の薬剤を充填し、間隙の周側開放部分を剥離可能なシートで密閉して、使用するときにシートを剥がした他方の電極面を皮膚に当接させるものを開発し（特許文献１参照）、つぎに、薬剤面にイオン化する電解質の薬剤成分を含む薬剤を含浸または塗布した薬剤シートに貼付するのみで使用でき、薬剤シートの薬剤成分の吸収効率を高める電気治療器として、薬剤シートの薬剤面に貼付される正電極板と、皮膚に当接される負電極板との間に電解液を介在させて電池を形成し、これらの両電極板間の外周部を絶縁性の環状シール部材でシールした電気治療器を開発した（特許文献２参照）。
【０００４】
さらに、最近では、溶剤に溶解もしくは分散した非電解質の薬剤成分を含む薬剤を用いた薬剤シートであっても、特許文献２に記載されたような電気治療器を用いることにより、皮膚に電流を流すことで起こる水の対流によって、薬剤成分の吸収が促進されることが報告されている（非特許文献１参照）。
【０００５】
本発明者らは、電解質や非電解質の薬剤成分の吸収効率をさらに高めるために、電極板の皮膚当接面に微細な剣山状の突起を設け、皮下に差し込まれる剣山状の突起に沿わせて薬剤成分を注入するようにした電気治療器や薬剤シートを開発した（特許文献３−５参照）。特許文献３に記載された電気治療器は、ステンレス鋼製の正電極板やチタン製の負電極板の皮膚当接面に剣山状の突起を設けている。また、特許文献４、５に記載された薬剤シートは、薬剤が含浸または塗布された薬剤面に、標準電極電位差が異なる２種類の金属で形成するか金属めっきを施すかした一対の電極板を互いに絶縁して貼付し、一方または両方の電極板の皮膚当接面に剣山状の突起を設けている。
【先行技術文献】
【特許文献】
【０００６】
【特許文献１】特公平３−６９５４５号公報
【特許文献２】特開２００５−１９２８４８号公報
【特許文献３】特許第４１７０３０７号公報
【特許文献４】特開２００９−１３６３８３号公報
【特許文献５】特開２００９−１４２４３２号公報
【非特許文献】
【０００７】
【非特許文献１】肥後成人，「Transdermal Drug Delivery Systemの最近の開発動向について」，YAKUGAKU ZASSHI，The Pharmaceutical Society of Japan，２００７年，Ｖｏｌ．１２７，Ｎｏ．４，ｐ．６５５−６６２
【発明の概要】
【発明が解決しようとする課題】
【０００８】
特許文献３に記載の電気治療器や、特許文献４、５に記載の薬剤シートは、電極板の皮膚当接面に微細な剣山状の突起を設けているので、剣山状の突起による皮下への注入効果によって薬剤成分の吸収効率を著しく高めることができ、湿布薬等の薬剤の他に、従来は注射器を用いて注入投与されている麻酔薬やワクチン等の薬剤も注入投与することができる。しかしながら、注射針のように尖った剣山状の突起を有する電極板が使用後に危険な医療廃棄物となり、この危険な医療廃棄物となる電極板を金属で形成するか金属めっきを施すかしたものとしているため、焼却処分によって安全に廃棄することができない問題がある。
【０００９】
そこで、本発明の課題は、薬剤シートの剣山状の突起を有する電極板を焼却処分によって安全に廃棄できるようにすることである。
【課題を解決するための手段】
【００１０】
上記の課題を解決するために、本発明は、薬剤が含浸または塗布された薬用布の薬剤面に、互いに絶縁した正負の電極板を設け、皮膚に当接される少なくとも一方の電極板の皮膚当接面に微細な剣山状の突起を設けた薬剤シートにおいて、前記剣山状の突起を設けた電極板を導電性樹脂で形成した構成を採用した。
【００１１】
すなわち、剣山状の突起を設けた電極板を導電性樹脂で形成することにより、この剣山状の突起を有する電極板を焼却処分によって安全に廃棄できるようにした。なお、薬剤の薬剤成分には陽イオン化するもの、陰イオン化するものおよびイオン化しないものがあり、陽イオン化するものの場合は皮膚に当接される電極板を負に、陰イオン化するものの場合は皮膚に当接される電極板を正にするとよい。
【００１２】
前記導電性樹脂は、熱可塑性樹脂に導電性物質を混合したものとすることができる。
【００１３】
前記導電性物質をカーボンブラックとすることにより、焼却効率をよくすることができる。
【００１４】
前記導電性樹脂で形成した電極板の剣山状の突起をインジェクションモールド法で形成することにより、剣山状の突起を有する電極板を効率よく安価に製造することができる。
【００１５】
前記剣山状の突起の高さは、５０〜６００μｍにするとよい。皮膚は、表面側から角質層、生きた細胞からなる表皮、さらに毛細血管や神経のある真皮で形成されており、湿布薬等の薬剤成分を表皮に注入する場合は、突起の高さは５０〜１５０μｍ程度とするのが好ましく、ワクチン等の薬剤成分を真皮の中まで注入投与する場合は、突起の高さは１５０〜６００μｍ程度と高くするとよい。なお、薬剤成分を真皮の中まで注入投与する場合は、真皮の毛細血管からの細菌等の感染の恐れがないように、薬剤シートは使い捨てにされる。
【００１６】
前記正負の電極板の一方を前記剣山状の突起を設けた導電性樹脂で形成し、他方の電極板を、前記導電性樹脂で形成した一方の電極板と標準電極電位差を有する金属で形成するか、もしくは前記金属のめっきを施したもの、または前記一方の電極板と標準電極電位差を有する導電性物質を混合した導電性樹脂で形成したものとすることにより、正負の電極板間の電位差によって、これらの間に皮膚と薬剤面の薬剤を経由する電流を生じさせ、別途の電池を不要として、焼却処分を容易にすることができる。他方の電極板も導電性物質を混合した導電性樹脂で形成した場合は、薬剤シート全体をまとめて焼却処分することができる。
【００１７】
なお、前記導電性樹脂に混合する導電性物質をカーボンブラックとする場合は、その標準電極電位が貴な白金と同程度の高いものとなる。導電性物質を金属のフィラー等とする場合は、その金属の標準電極電位となる。したがって、導電性物質にカーボンブラックを用いた導電性樹脂は正の電極板とするとよい。このときの負の電極板には、標準電極電位が低い亜鉛やマグネシウム等の卑の金属で形成するか、卑の金属のめっきを施したもの、または卑の金属のフィラー等を混合した導電性樹脂で形成したものを用いるとよい。
【００１８】
前記正負の電極板に重なり代部を設け、この重なり代部で前記正負の電極板の間に電解液を介在させることにより、正負の電極板の重なり代部で電池が形成されるようにし、皮膚を経由する電流を積極的に生じさせることができる。
【００１９】
前記正負の電極板間に外部電源から電圧を付与することによっても、皮膚を経由する電流を積極的に生じさせることができる。
【００２０】
前記正負の電極板の両方を導電性樹脂で形成することにより、薬剤シート全体をまとめて焼却処分することができる。
【発明の効果】
【００２１】
本発明の薬剤シートは、薬用布の薬剤面に設けられる剣山状の突起を有する電極板を導電性樹脂で形成したので、この剣山状の突起を設けた電極板を焼却処分によって安全に廃棄することができる。
【図面の簡単な説明】
【００２２】
【図１】第１の実施形態の薬剤シートを示す縦断側面図
【図２】図１のII−II線に沿った横断平面図
【図３】図１の正負の電極板の重なり代部を拡大して示す縦断側面図
【図４】第２の実施形態の薬剤シートを示す縦断側面図
【図５】図４のＶ−Ｖ線に沿った横断平面図
【図６】図４の正負の電極板の重なり代部を拡大して示す縦断側面図
【図７】第３の実施形態の薬剤シートを示す縦断側面図
【図８】図７のVIII−VIII線に沿った横断平面図
【図９】第４の実施形態の薬剤シートを示す縦断側面図
【図１０】図９のＸ−Ｘ線に沿った横断平面図
【発明を実施するための形態】
【００２３】
以下、図面に基づき、本発明の実施形態を説明する。図１乃至図３は、第１の実施形態を示す。この薬剤シートは、図１および図２に示すように、陰イオン化する電解質の薬剤成分を含む薬剤Ａが塗布された薬用布１の薬剤面に、標準電極電位が高いカーボンブラックを熱可塑性樹脂に混合した導電性樹脂で形成された大径の正の電極板２と、標準電極電位が低い亜鉛のフィラーを熱可塑性樹脂に混合した導電性樹脂で形成された小径の負の電極板３とが、重なり代部を有するように設けられ、正の電極板２が皮膚Ｓに向けられるようになっている。なお、薬用布１および正負の電極板２、３の平面形状は、互いに同心の正方形とされているが、これらの平面形状は任意の形状とすることができる。
【００２４】
前記正の電極板２の皮膚当接面には、全面に亙って微細な剣山状の突起４が設けられ、これらの剣山状の突起４の間にも薬剤Ａが充填されている。この剣山状の突起４の高さは５０〜６００μｍとされ、導電性樹脂のインジェクションモールド法で形成されている。なお、図１を始めとする以下の図面では、突起４を分かりやすくするために、突起４の高さと間隔を実際の寸法よりも大きく図示している。したがって、微細な剣山状の突起４を有する電極板を効率よく安価に製造することができる。また、この薬剤シートは、正負の電極板２、３が導電性樹脂で形成されているので、剣山状の突起４が設けられた正の電極板２を含めて、全体をまとめて焼却処分することができる。
【００２５】
図３に拡大して示すように、前記正負の電極板２、３の重なり代部の周囲には、正負の電極板２、３を絶縁するように、角環状の樹脂で形成された絶縁部材５ａが取り付けられるとともに、重なり代部の正負の電極板２、３の間に電解液を不織布に含浸させたセパレータ６が介在しており、この正負の電極板２、３の重なり代部に電池が形成されている。したがって、この電池の起電力によって、図１に矢印で示すように、標準電極電位が高い正の電極板２から標準電極電位が低い負の電極板３へ、皮膚Ｓと薬剤面の薬剤Ａを経由して電流が流れ、薬剤Ａの陰イオン化する薬剤成分が、この電流の流れと逆向きに薬剤面から皮膚Ｓ側へ移動して、皮膚Ｓから体内に吸収されるとともに、剣山状の突起４の間に充填された薬剤Ａが皮下に注入される。
【００２６】
図４乃至図６は、第２の実施形態を示す。この薬剤シートは、薬用布１の薬剤面に陽イオン化する電解質の薬剤成分を含む薬剤Ａが塗布されたものであり、図４および図５に示すように、負の電極板３が皮膚Ｓに当接されるように、正の電極板２の皮膚当接面側に重ねられ、負の電極板３との重なり代部を除く正の電極板２の皮膚当接面に微細な剣山状の突起４が設けられて、これらの突起４の間にも薬剤Ａが充填されている。その他の部分は第１の実施形態のものと同じであり、正の電極板２はカーボンブラックを混合した導電性樹脂で形成され、負の電極板３は亜鉛のフィラーを混合した導電性樹脂で形成されている。したがって、この薬剤シートも、正負の電極板２、３が導電性樹脂で形成されているので、全体をまとめて焼却処分することができる。
【００２７】
図６に拡大して示すように、この実施形態でも、前記正負の電極板２、３の重なり代部の周囲が角環状の絶縁部材５ａで絶縁されるとともに、正負の電極板２、３の間に電解液を不織布に含浸させたセパレータ６が介在しており、正負の電極板２、３の重なり代部に電池が形成されている。したがって、この電池の起電力によって、図４に矢印で示すように、標準電極電位が高い正の電極板２から標準電極電位が低い負の電極板３へ、皮膚Ｓと薬剤面の薬剤Ａを経由して電流が流れ、薬剤Ａの陽イオン化する薬剤成分が、この電流の流れと同じ向きに薬剤面から皮膚Ｓ側へ移動して、皮膚Ｓから体内に吸収されるとともに、剣山状の突起４の間に充填された薬剤Ａが皮下に注入される。
【００２８】
図７および図８は、第３の実施形態を示す。この薬剤シートは、いずれかが正または負となる２枚の電極板２、３がいずれもカーボンブラックを混合した導電性樹脂で形成され、皮膚当接面に微細な剣山状の突起４が設けられた大径の電極板２の薬剤面側に、小径の電極板３が重なり代部を有するように重ねられ、これらの電極板２、３が樹脂フィルムで形成された絶縁部材５ｂで絶縁されるとともに、各電極板２、３にリード部２ａ、３ａが設けられ、これらのリード部２ａ、３ａが外部電源（図示省略）に接続されるように薬用布１の外側へ露出している。各リード部２ａ、３ａは、各電極板２、３に導線等を結線したものとしてもよい。その他の部分は、第１の実施形態のものと同じであり、電極板２の皮膚当接面の全面に剣山状の突起４が設けられ、突起４の間には薬剤Ａが充填されている。
【００２９】
したがって、この実施形態では、前記各電極板２、３のリード部２ａ、３ａに外部電源を接続することにより、２枚の電極板２、３の正負の極を任意に変更して、正となる電極板から負となる電極板へ、皮膚Ｓと薬剤面の薬剤Ａを経由して電流を流し、薬剤成分が陽イオン化するものにも陰イオン化するものにも対応することができるとともに、治療の必要度合いに応じて電極板２、３間の電圧も任意に設定することができる。パルス状等に変動する電圧も付与することができる。また、この薬剤シートも全体をまとめて焼却処分することができる。
【００３０】
図９および図１０は、第４の実施形態を示す。この薬剤シートも、いずれかが正または負となる２枚の電極板２、３がいずれもカーボンブラックを混合した導電性樹脂で形成されている。この実施形態では、大径の円環状とされた電極板２の内側に小径の円板状の電極板３が同一平面内で配置され、両方の電極板２、３の皮膚当接面に微細な剣山状の突起４が設けられて、これらの突起４の間に薬剤Ａが充填されている。また、各電極板２、３の間は環状の絶縁部材５ｃで絶縁され、各電極板２、３に薬用布１の外側へ露出するリード部２ａ、３ａが設けられている。したがって、この薬剤シートも、各リード部２ａ、３ａに外部電源を接続することにより、２枚の電極板２、３の正負を任意に変更できるとともに、電極板２、３間の電圧も任意に設定することができる。また、全体をまとめて焼却処分することもできる。
【００３１】
上述した各実施形態では、両方の電極板を導電性樹脂で形成したが、剣山状の突起を設けない電極板は、金属で形成するか、金属めっきを施したもので形成することもできる。
【００３２】
また、上述した各実施形態では、電極板の皮膚当接面に設けた剣山状の突起の間に薬剤を充填したが、剣山状の突起を設けた電極板に小孔やスリット等を設け、薬剤面に塗布または含浸された薬剤が、小孔やスリット等から皮膚当接面側へ滲み出すようにすることもできる。
【００３３】
さらに、上述した各実施形態では、薬剤の薬剤成分を電解質のものとしたが、本発明に係る薬剤シートは、薬剤成分が非電解質のものにも適用することができる。
【符号の説明】
【００３４】
Ａ  薬剤
Ｓ  皮膚
１  薬用布
２、３  電極板
２ａ、３ａ  リード部
４  突起
５ａ、５ｂ、５ｃ  絶縁部材
６  セパレータ
【図１】
2011224153.tif 000003
【図２】
2011224153.tif 000004
【図３】
2011224153.tif 000005
【図４】
2011224153.tif 000006
【図５】
2011224153.tif 000007
【図６】
2011224153.tif 000008
【図７】
2011224153.tif 000009
【図８】
2011224153.tif 000010
【図９】
2011224153.tif 000011
【図１０】
2011224153.tif 000012